Podtech/llm-jp-corpus-v4-ja_patent huggingface dataset:
(57)【要約】【課題】本考案は、既存の公園等のあらゆる広さや形状にも対応出来るように、迷路の組み合わせや形状を容易に変更することが可能で、それに公園遊具を組入れた。【解決手段】本考案は、予め施工された基礎１に柱２を等間隔に建て、手摺３を取付ける。また、要所に公園遊具（４〜１０）およびゲート１１、フラッグ１２等を取付ける。【選択図】　図２
0003097972.tif 000002
【実用新案登録請求の範囲】
【請求項１】
柱、手摺、を継手を使用して組立て、要所に公園遊具を取付ける。
【考案の詳細な説明】
【０００１】
【産業上の利用分野】本考案は、既存の公園等屋外において迷路装置を組立て、それに公園遊具を組入れることで、幼児や子供には楽しい遊びを提供し、高齢者はリハビリ施設として利用することを目的としたものである。
【０００２】
【従来の技術】従来の迷路装置は、特定の敷地に大規模なものを設置し、日常的に利用するものではなかった。また一方、既存の公園に設置されている公園遊具は、限られた種類のものであり、固定化し、変更することは殆どあり得なかった。
【０００３】
【考案が解決しようとする課題】本考案は、組み合わせや形状を容易に変更することが可能で、既存の公園等のあらゆる広さや形状にも対応出来るように、上述の問題点を解決し提供するものである。
【０００４】
【課題を解決しようとするための手段】本考案は、予め施工された基礎１に柱２を等間隔に建て、手摺３を取付ける。また、要所に公園遊具（４〜１０）およびゲート１１、フラッグ１２等を取付ける。
【０００５】
【実施例】本考案の実施例を図２に示す。
【０００６】
【作用】本考案の、使用例を説明すると、既存の公園等の適宜な場所を選び、全体構成を計画し、組立て、定期的に変更するなどして変化を持たせます。本考案は、単純に入口から出口に抜ける迷路遊びから、時間を競うゲーム、また遊具で遊ぶことも出来、使い方は寧ろ利用者に任せることが出来るものである。
【０００７】
【考案の効果】本考案は、組立てや変更が容易で、敷地の広さや形状に合わせて計画することが出来る。従来の公園遊具のような、限定された使われ方に止まることなく、利用者が参加して使うことが出来る。
【図面の簡単な説明】
【図１】本考案の一実例を示した平面図である。
【図２】本考案の一実例を示した透視図である。
【図３】柱・手摺接続の模式図である。
【図４】本考案の公園遊具の透視図である。
【符号の説明】
１　基礎
２　柱
３　手摺
４　太鼓橋
５　丸太
６　輪くぐり
７　とび石
８　立体交差
９　吊り橋
１０　塔（以上４〜１０は公園遊具）
１１　ゲート
１２　フラッグ
１３　キャップ
１４　アンカーボルト（基礎１に緊結）
【図１】
0003097972.tif 000003
【図２】
0003097972.tif 000004
【図３】
0003097972.tif 000005
【図４】
0003097972.tif 000006
【手続補正書】
【提出日】平成15年6月24日(2003.6.24)
【手続補正１】
【補正対象書類名】明細書
【補正対象項目名】実用新案登録請求の範囲
【補正方法】変更
【補正の内容】
【実用新案登録請求の範囲】
【請求項１】
等間隔に柱を設置し、その上に手摺を取り付けたり外したりすることによって組合せや形状を自由に設定出来、また入口・出口２つのゲートがあって、途中にこれもまた任意に位置を変えられる遊具が組み込まれている迷路装置。
(57)【要約】【課題】着用したとき首にフィットし、首廻りのシルエットの見栄えの良い日焼け防止用ショールを提供すること。【解決手段】日焼け防止用ショールを一枚布から縫製する。この布は、横長の左右対称形状を有し、主部１０１と幅の狭い、縦長長方形の左右両端部１０２及び主部１０１と左右両端部１０２をつなぐ中間部から成る。各中間部１０３は主部１０１から端部１０２にかけて幅が漸減するように、中間部１０３の上下両辺１０３ａ，１０３ｂがテーパ状に裁断されている。一方、主部１０１の上辺はその中央部が谷形１０１ａとなるような連続する波形１０１ｂに裁断されている。一方、主部１０１の下辺１０１ｃはほぼ直線状に裁断されている。布１００の左右両端部１０２に伸縮性を有する帯材１３を縫着し、ついで、中間部１０３の上下両辺１０３ａ，１０３ｂを縫い合わせて縫製する。【選択図】　　図２
0003097927.tif 000002
【実用新案登録請求の範囲】
【請求項１】
ほぼ左右対称形状の横長の一枚布を縫製して肩掛け部分と長袖を形成した日焼け防止用ショールであって、該一枚布は主部と、主部より幅の狭い左右両端部及び主部から左右両端部にかけて幅が漸減する中間部から成り、主部の上辺中央部を谷形に裁断し、中間部の上下両辺を縫着して長袖とし、主部上辺の中央部をえり部分としたことを特徴とする日焼け防止用ショール。
【請求項２】
前記主部の上辺を中央部が谷形となる連続した波形に裁断したことを特徴とする請求項１に記載の日焼け防止用ショール。
【請求項３】
前記左右両端部に伸縮材からなる帯を縫着したことを特徴とする請求項１に記載の日焼け防止用ショール。
【考案の詳細な説明】
【０００１】
【考案の属する技術分野】
本考案は日焼け防止用ショールに関する。
【０００２】
【従来の技術】
日焼け防止用ショールの一形式として、実用新案登録第３０９０５８９号公報には、ほぼ左右対称形状の横長の一枚布から成る日焼け防止用ショールが開示されている。このショールの一枚布は主部と、主部より幅の狭い左右両端部及び主部から左右両端部にかけて幅が漸減する中間部から成り、中間部の上下両縁に沿ってベルベットファスナーが縫着されている。
この日焼け防止用ショールは上下のベルベットファスナーで中間部の上下両端を留めて袖状にし、ここに腕を通して着用する。
【０００３】
【考案が解決しようとする課題】
従来の日焼け防止用ショールは主部の上下両辺が直線状に裁断されているため、主部を両肩に掛けて着用したとき主部中央部が首にフィットし難い。また、首廻りのシルエットも直線的で見栄えが良くない。
本考案はかかる問題点に鑑み、着用したとき首にフィットし、首廻りのシルエットも見栄えの良い日焼け防止用ショールを提供することを目的とする。
【０００４】
【課題を解決するための手段】
上記目的を達成するため本考案は、ほぼ左右対称形状の横長の一枚布を縫製して肩掛け部分と長袖を形成した日焼け防止用ショールであって、該一枚布は主部と、主部より幅の狭い左右両端部及び主部から左右両端部にかけて幅が漸減する中間部から成り、主部の上辺中央部を谷形に裁断し、中間部の上下両辺を縫着して長袖とし、主部上辺の中央部をえり部分としたことを特徴とする。
そして、好ましくは前記主部の上辺を中央部が谷形となる連続した波形に裁断する。
さらに好ましくは、前記左右両端部に伸縮材からなる帯を縫着する。
【０００５】
【考案の作用・効果】
本考案に係る日焼け防止用ショールは主部を両肩に掛け、両方の長袖に腕を通して着用する。
本考案に係る日焼け防止用ショールは、肩掛け部分となる主部の上辺中央を谷形に裁断したので、この部分が首にフィットし、見栄えが良い。
また、主部を上辺を連続する波形にすることで、主部を肩に掛けたとき首廻りのシルエットの見栄えが良くなる。
さらに、伸縮材を縫着することで、袖口を手首に留めることができるので、着用中に袖口がずり上がって手首が日に晒されるのを防止できる。
【０００６】
【考案の実施の形態】
以下に本考案を図面に基づき説明するに、図１には本考案の一実施形態に係る日焼け防止用ショール１０が示されている。当該日焼け防止用ショール１０は肩掛け部分１１と左右の長袖１２から成り、袖口には伸縮性の帯材１３が逢着されている。
【０００７】
この日焼け防止用ショール１０は図２に示す一枚布１００から出来ている。この一枚布１００はポリエステルの薄い生地が用いられ、横長の左右対称形状を有し、主部１０１と幅の狭い、縦長長方形の左右両端部１０２及び主部１０１と左右両端部１０２をつなぐ中間部１０３から成る。
【０００８】
各中間部１０３は主部１０１から端部１０２にかけて幅が漸減するように、中間部１０３の上下両辺１０３ａ，１０３ｂがテーパ状に裁断されている。一方、主部１０１の上辺はその中央部が谷形１０１ａとなるような連続する波形１０１ｂに裁断されている。一方、主部１０１の下辺１０１ｃはほぼ直線状に裁断されている。
【０００９】
日焼け防止ショール１０は、図２に示す形状の一枚布１００の左右両端部１０２に図３に示すように伸縮性を有する帯材１３を縫着し、ついで図４に示すように中間部１０３の上下両辺１０３ａ，１０３ｂを縫い合わせて縫製されている。
【００１０】
本実施形態に係る日焼け防止用ショール１０の構成は以上の通りであって、肩掛け部分１１を両肩に掛け、両方の長袖１２に腕を通して着用する。
しかして、この日焼け防止用ショール１０は、肩掛け部分１１となる主部１０１の上辺を中央が谷形１０１ａとなるような連続する波形１０１ｂに裁断したので、着用したとき首にフィットし、首廻りのシルエットの見栄えが良い。
また、伸縮材製帯１３を縫着したので、袖口を手首に留めることができる。このため、着用中に袖口がずり上がって手首が日に晒されるのを防止できる。
【図面の簡単な説明】
【図１】本考案の一実施形態に係る日焼け防止用ショールの着用状態を示す説明図である。
【図２】同日焼け防止用ショールの縫製に用いる一枚布を示す展開図である。
【図３】同一枚布に帯を縫着した展開図である。
【図４】同一枚布の中間部の上下両辺を縫着した説明図である。
【符号の説明】
１０…日焼け防止用ショール、１１…肩掛け部分、１２…長袖、１３…帯、１０１…一枚布、１０１…主部、１０２…端部、１０３…中間部、１０１ａ…谷形、１０１ｂ…波形。
【図１】
0003097927.tif 000003
【図２】
0003097927.tif 000004
【図３】
0003097927.tif 000005
【図４】
0003097927.tif 000006
(57)【要約】　　　（修正有）【課題】ポリ容器に溜まる雨水の配分を可能にする。【解決手段】流し口を方形とし、かつ底部を薄くすることにより水切り性を改善した流し口を付設した。これによりオーバーフローする水を、容器を伝って外部に流出させることなく別の複数のポリ容器に連続的に溜めることを可能にする。【選択図】　図１
0003097924.tif 000002
【実用新案登録請求の範囲】
【請求項１】
側面の上部に水切り性に優れた方形の流し口２を付設し、別の容器への給水を可能にしたポリ容器。
【考案の詳細な説明】
【０００１】
【考案の属する技術分野】
本考案は、雨水を有効利用するためのポリ容器に関する。
【０００２】
【従来の技術】
従来のポリ容器等の流し口は図２に示す構造であり水切り性が悪く、例えば容器の貯水量を超えてオーバーフローする水は流し口から容器を伝って外部に流出し、別の容器に給水することは困難であった。
【０００３】
【考案が解決しようとする課題】
前記流し口の水切り性を改善することにより、オーバーフローによるポリ容器間の水の移動を容易にすれば、ポリ容器に溜まる雨水の配分を可能にできる。又、これにより雨水を有効利用することができる。
【０００４】
【課題を解決するための手段】
本考案は、流し口を方形とし、かつ底部を薄くすることにより水切り性を改善した流し口を付設した。これによりオーバーフローする水を、容器を伝って外部に流出させることなく別の複数のポリ容器に連続的に溜めることを可能にする。
【０００５】
【考案の効果】
本考案に係る流し口付雨水溜用ポリ容器を使用すれば、雨水溜を小さく分割しながら多くの水を溜めることが可能であり雨水を有効利用できる。また容器を小さく分割して利用することでの洗浄や運搬を容易にすることができる。
【図面の簡単な説明】
【図１】本考案に係る流し口付雨水溜用ポリ容器の全体図である。
【図２】従来の流し口の例を示す図である。
【符号の説明】
１　ポリ容器
２　水切り性の良い流し口
【図１】
0003097924.tif 000003
【図２】
0003097924.tif 000004
(57)【要約】【課題】本考案は、減衰器回路に、１次インピーダンス５００ｋΩ、２次インピーダンス１ｋΩの低周波トランスを使用し、電気信号の電圧を減衰する。【解決手段】抵抗素子▲１▼の代わりに、１次インピーダンス５００ｋΩ、２次インピーダンス１ｋΩの低周波トランス▲２▼を電気信号の電圧の減衰に使用することで、減衰率が下がり、出力インピーダンスも下がり、雑音が減少した。又、差動出力（バランス出力）▲３▼が出来る為、電気信号が、外部からの電気的影響を受けにくくなった。【選択図】　　図２
0003097959.tif 000002
【実用新案登録請求の範囲】
【請求項１】
減衰器回路に、１次インピーダンス５００ｋΩ、２次インピーダンス１ｋΩの低周波トランスを使用した、三味線ピックアップ用減衰器に関するものである。
【考案の詳細な説明】
この考案は、減衰器回路に、１次インピーダンス５００ｋΩ、２インピーダンス１ｋΩの低周波トランスを使用した、三味線ピックアップ用減衰器に関するものである。
従来、三味線の音を圧電素子ピックアップ▲４▼で電気信号に変えて、増幅する事において、三味線の撥の発する打撃音で、電気信号の電圧が上がり、歪んでしまう為、抵抗素子▲１▼を電気信号の電圧の減衰に使用していたが、減衰率が高く、出力インピーダンスも高い為、雑音も多かった。
本案は、その欠点を除くために考案されたもので、抵抗素子▲１▼の代わりに、１次インピーダンス５００ｋΩ、２インピーダンス１ｋΩの低周波トランス▲２▼を電気信号の電圧の減衰に使用する事で、減衰率が下がり、出力インピーダンスも下がり、雑音が減少した。又、差動出力（バランス出力）▲３▼が出来る為、電気信号が、外部からの電気的影響を受けにくくなった。
【図面の簡単な説明】
【図１】低周波トランスを使用した減衰器の入ったボックスと圧電素子ピックアップを付けた三味線の斜視図。
【図２】減衰器の付いた三味線用ピックアップの回路図。
【符号の説明】
▲１▼抵抗素子を使用した減衰器。
▲２▼１次インピーダンス５００ｋΩ、２次インピーダンス１ｋΩの低周波トランスを使用した減衰器。
▲３▼差動出力（バランス出力）
▲４▼三味線用圧電素子ピックアップ
【図１】
0003097959.tif 000003
【図２】
0003097959.tif 000004
【手続補正書】
【提出日】平成15年4月22日(2003.4.22)
【手続補正１】
【補正対象書類名】明細書
【補正対象項目名】実用新案登録請求の範囲
【補正方法】変更
【補正の内容】
【実用新案登録請求の範囲】
【請求項１】
三味線ピックアップとアンプの間に１次インピーダンス５００ｋΩ、２次インピーダンス１ｋΩの低周波トランスを取り付け、減衰率を下げることを特徴とする三味線ピックアップ用減衰器。
【考案の詳細な説明】
従来、三味線の音を圧電素子ピックアップ▲４▼で電気信号に変えて増幅する事において、三味線の撥の発する打撃音で、電気信号の電圧が上がり、歪んでしまう為、抵抗素子▲１▼を電気信号の電圧の減衰に使用していたが、減衰率が高く、出力インピーダンスも高い為、雑音が多かった。本案は、その欠点を除くために考案されたもので、抵抗素子▲１▼の代わりに１次インピーダンス５００ｋΩ、二次インピーダンス１ｋΩの低周波トランス▲２▼を三味線ピックアップとアンプの間に取り付けることにより、減衰率が下がり、出力インピーダンスも下がり、雑音が減少した。又、差動出力（バランス出力）▲３▼ができる為、電気信号が、外部からの電気的影響をうけにくくなった。
【手続補正３】
【補正対象書類名】明細書
【補正対象項目名】考案の詳細な説明
【補正方法】変更
【補正の内容】
【考案の詳細な説明】
従来、三味線の音を圧電素子ピックアップ▲４▼で電気信号に変えて増幅する事において、三味線の撥の発する打撃音で、電気信号の電圧が上がり、歪んでしまう為、抵抗素子▲１▼を電気信号の電圧の減衰に使用していたが、減衰率が高く、出力インピーダンスも高い為、雑音が多かった。本案は、その欠点を除くために考案されたもので、抵抗素子▲１▼の代わりに１次インピーダンス５００ｋΩ、二次インピーダンス１ｋΩの低周波トランス▲２▼を三味線ピックアップとアンプの間に取り付けることにより、減衰率が下がり、出力インピーダンスも下がり、雑音が減少した。又、差動出力（バランス出力）▲３▼ができる為、電気信号が、外部からの電気的影響をうけにくくなった。
(57)【要約】　　　（修正有）【課題】高い木に実をつける果実（やまもも）や木がもろい果実（すもも）などを短時間で簡単に採る道具の部品を提供する。【解決手段】この果実を採る道具の部品に長さが調節できる棒を溶接又は、なべ小ねじと平座金とナット又は、接着剤などで取り付けて使用します。木の下からでも内側が見える容器５に刃１を取り付けました。実を容器内に刃のない部分から入れ、実の付いている元の所に刃のある部分をあて、上下、左右に動かすだけで、実を採ることができます。実は、容器内に落ちるので、外へ転がしません。そして、一度に何個も採ることができます。【選択図】　　　図１
0003097951.tif 000002
【実用新案登録請求の範囲】
【請求項１】
内側が見える容器に刃を取り付けて果実を採る道具の部品。
【考案の詳細な説明】
【０００１】
【考案が解決しようとする課題】
従来、高い木に実をつける果実（やまもも）や木がもろい（すもも）などを採る場合、実の付いている場所がわかりにくく、鋏などでは、切りにくかった。そのため、よく実を落とし傷つけたりして困った。また、一個ずつ採るので手間がかかった。
【０００２】
【課題を解決するための手段】
この果実を採る道具の部品に長さが調節できる棒を溶接又は、なべ小ねじと平座金とナット又は、接着剤などで取り付けて使用します。木の下からでも内側が見える容器に刃を取り付けました。実を容器内に刃のない部分から入れ、実の付いている元の所に刃のある部分をあて、上下、左右に動かすだけで、実を採ることができます。実は、容器内に落ちるので、外へ転がしません。そして、一度に何個も採ることができます。
【０００３】
【考案の効果】
短時間で簡単に果実を採ることが可能になった。
【図面の簡単な説明】
【図１】斜視図である。
【図２】平面図である。
【図３】刃を取り付けた部分の断面図である。
【図４】長さが調節できる棒を取り付け使用している状態を表す参考図である。
【符号の説明】
１　刃
２　なべ小ねじ
３　平座金
４　ナット
５　容器
【図１】
0003097951.tif 000003
【図２】
0003097951.tif 000004
【図３】
0003097951.tif 000005
【図４】
0003097951.tif 000006
(57)【要約】【課題】本考案は、調理時の刃物による切断作業において手や指のけがを防止するものである。【解決手段】コの字形の障壁には、親指を除く４本の指または手の甲を差し込める握り部を設ける。障壁には、バネの力により高さが変化する押さえピンが複数取り付けてあり、調理時には切る物の形状によらず押さえつけることができる。また、刃物は、コの字形の溝に差し込み切断するので、直接刃物が指に触れることなく安全に作業がおこなえる。【選択図】　図７
0003097958.tif 000002
【実用新案登録請求の範囲】
【請求項１】
調理の際、切るものを直に手で押さえること無く、安全に刃物で切ることができる調理用の手プロテクタである。切る物を押さえるために、高さが変化する押さえピンが複数ついており、複雑な形状であってもしっかり押さえながら切ることが可能である。また、刃物の動きを制限するために、コの字形の障壁を有している。
【考案の詳細な説明】
【０００１】
【考案の属する技術分野】
本考案は、切る物の形状に関わらず、弾力性のある押さえピンで固定することができる点と、刃物が、必要以上に動かないように、制限を与えることにより、安全に調理時の切断作業ができる手プロテクタである。
【０００２】
【従来の技術】
素手で切る物を押さえ、刃物を直に指に触れさせながら切断する作業は、大変危険であり、経験を要する。この事を改善するために、刃物と指の間に、障壁となるものを設けることで安全性を高めるような器具があった。
【０００３】
【考案が解決しようとする課題】
このような器具を使用した場合、切る物を上手に手で押さえる技術が求められたり、万一、刃物が必要以上に動き、障壁を越えた場合、指や手をけがする危険性も予想された。
【０００４】
切る物の形状が、円柱やいびつな形状である場合、動き易いため、指だけでは固定しづらく、特に子供などにおいては、危険性が増すことになる。
【０００５】
病気や事故等で物を押さえる方の指が不自由な方にとって固定しながら物を切ることは難しい作業となる。
【０００６】
本考案は、健常者だけでなく、片手が不自由な方や、子供などでも切る物をしっかり固定して刃物で安全に切断することが可能な、調理用の手プロテクタとして使用できるものである。
【０００７】
【課題を解決するための手段】
前記課題を解決するために、請求項１の考案は、刃物と指や手との障壁としてコの字形の形状を持たせ、その溝部分のみを刃物が可動できるようにした。この結果、刃物が不必要に動く事を防止することが可能となった。また、弾力性のある押さえピンが複数取り付けてあり、切る物の形状に合った形で押さえつけて、切断することもできる調理用の手プロテクタである。
【０００８】
【考案の実施の形態】
以下、前記考案について、詳細に説明する。請求項１の考案は、調理の切断作業において、手に、請求項１の手プロテクタを取り付け、切る物を押さえつけると、バネが内蔵された押さえピンの高さが変化して確実に固定することができる。切断作業の際は、コの字形の障壁の溝部分に刃物を差し込み、切断することにより、安全に作業できるようにした。
【０００９】
【実施例】
本考案は、図２に示すように、指又手を直接刃物に触れさせずに切断するために、指又手を握り部に差し込み切る物を押さえつけ易くしている。（図４）そしてコの字形になった障壁の溝に刃物を差し込んだ後、（図５）切る物を上から押さえつけると、障壁に取り付けられた弾力性のある押さえピンが、物の形状に合った形で変形する。（図６）この状態のまま切断を行えば、刃物が手に触れることなく、安全に作業することができる。（図７）
【００１０】
【考案の効果】
この様に、本考案によれば、コの字形の障壁と、切る物の形状に高さが変形できる押さえピンを合わせもつ調理用の手プロテクタを使用することにより、調理作業時の刃物によるけがを防ぐことが可能となった。
【図面の簡単な説明】
【図１】本考案の調理用手プロテクタの断面図（正面図）である。
【図２】本考案の調理用手プロテクタの断面図（側面図）である。
【図３】本考案の調理用手プロテクタの立体図である。
【図４】本考案の調理用手プロテクタを手に取り付けた図である。
【図５】本考案の調理用手プロテクタに刃物を差し込んだ図である。
【図６】本考案の調理用手プロテクタで切る物を押さえつけた図である。
【図７】本考案の調理用手プロテクタを活用して切断した図である。
【符号の説明】
１握り部
２刃物差し込み部
３押さえピン
４押さえピンにつけられたバネ
【図１】
0003097958.tif 000003
【図２】
0003097958.tif 000004
【図３】
0003097958.tif 000005
【図４】
0003097958.tif 000006
【図５】
0003097958.tif 000007
【図６】
0003097958.tif 000008
【図７】
0003097958.tif 000009
【手続補正書】
【提出日】平成15年3月28日(2003.3.28)
【手続補正１】
【補正対象書類名】明細書
【補正対象項目名】実用新案登録請求の範囲
【補正方法】変更
【補正の内容】
【実用新案登録請求の範囲】
【請求項１】
調理の際、直に手で切る物をつかむことなく、高さが変化する複数の押さえピンで、複雑な形状であっても切る物を押さえ、切断時には、コの字形の障壁により刃物の動きを制限する機能を有す調理用手プロテクタ。
【手続補正書】
【提出日】平成15年6月9日(2003.6.9)
【手続補正１】
【補正対象書類名】明細書
【補正対象項目名】実用新案登録請求の範囲
【補正方法】変更
【補正の内容】
【実用新案登録請求の範囲】
【請求項１】
調理の際、直に手で切る物をつかむことなく、複雑な形状であっても切る物を押さえる、高さが変化する複数の押さえピンと、切断時に、刃物の動きを制限する機能を有するコの字形の障壁とを備えた調理用手プロテクタ。
(57)【要約】　　　（修正有）【課題】発泡スチーロール製の枕で頭を挟んで安眠できるようにする【解決手段】発泡スチーロール製枕１、に首当て部２と後頭部当て５の横部にスプリング６と蝶番７をつけ安定させ寝るとき右側頭部当て３と左側頭部当て４で頭を挟む枕。【選択図】図１
0003097954.tif 000002
【実用新案登録請求の範囲】
【請求項１】
発泡−スチーロール製の枕１に、首当て部２と後頭部当て５の横部にスプリング６と蝶番７をつけ安定させ寝るとき、右側頭部当て３と左側頭部当て４で頭を挟む枕。
【考案の詳細な説明】
【０００１】
〔考案が解決しようとする課題〕
従来、いわゆる枕として多山市販されていますが寝返りしたとき、頭が移動すると枕との位置がかわるのでイビキをだしたり首が疲れる点を有した。
【０００２】
〔課題を解決するための手段〕
上記目的を達成するために発泡スチーロール製の枕にスプリングと蝶番をつけ両手で左右の側頭部当を軽く開いて頭を入れて両手を放すと優しく挟んで朝まで頭から別れないのでイビキをださない、自分も他の人も静で安眠できるのである。
【０００３】
〔考案の効果〕
発泡スチーロール製であるから危険せいがなく軽くて使いやすい枕である
【図面の簡単な説明】
【図１】発泡スチーロール製枕を両手で広げ頭を固定した斜視図
【図２】正面から見た斜視図
【図３】底面から見た斜視図
【図４】枕の断面図
【図５】横から見た斜視図
【符号の説明】
１．発泡スチーロール製枕
２．首当て部
３．右側頭部当て部
４．左側頭部当て部
５．後頭部当て部
６．スプリング
７　蝶番
【図１】
0003097954.tif 000003
【図２】
0003097954.tif 000004
【図３】
0003097954.tif 000005
【図４】
0003097954.tif 000006
【図５】
0003097954.tif 000007
(57)【要約】【課題】本考案は、食器籠に、水抜きホースを取り付けることにより、食器籠に溜まった水を、自然に食器籠外に排出するものである。【解決手段】本考案は、ホースの中に吸水性布を通し、一方は、食器籠内側の水溜り部分まで、もう一方は、食器籠の外側に（内側の水溜り部分よりも低い位置）伸ばすことにより食器籠内側に溜まった水が浸透圧の力で、吸水性布を伝わり、食器籠外に排出する。【選択図】　　図１
0003097950.tif 000002
【実用新案登録請求の範囲】
【請求項１】
ホースの中に、吸水性の布を通し、布の吸水性、水の浸透圧を利用して食器籠にたまった水を食器籠の外に出す水抜きホース。
【考案の詳細な説明】
【０００１】
【考案の属する技術分野】
本考案は、食器籠にホースを設け、食器籠にたまった水を、食器籠外に排出する補助具である。
【０００２】
【従来の技術】
食器を洗って、食器から出た水は、食器籠の底に溜まり、食器籠のザル籠をはずして、水を捨てていた。
【０００３】
【考案が解決しようとする課題】
食器籠の水は、食器籠に食器が溜まった状態が多く、又、食器が溜まった食器籠は重くザル籠の移動は大変である。又、食器籠にたまった水を放置すると、腐食、カビ、異臭の原因となり、衛星上不衛生である。
食器籠に溜まった水を、手を煩わすことなく食器籠の外に水を排出し、前途の欠点を、解決しようとするものである。
【０００４】
【課題を解決するための手段】
本考案は、食器籠に水抜きホースを取り付け、中は給水性布で、食器籠に溜まった水を吸水し、浸透圧により食器籠の外に排出して、問題点を解決するものである
【０００５】
【考案の実施の形態】
食器籠の内側、ザル籠下の水受け部分まで、ホースを伸ばし、ホース中の吸水性布は水受け部分まで突出させ、又、食器籠外側に伸びるホースは、食器籠底部より下方向まで伸ばすことにより水は、浸透圧により吸水性布を伝わって自然に食器籠外に流れ出します。
【０００６】
【実施例】
以下添付図面に従って実施例を説明する。１は、吸水性布を覆うホース。２は、色々な食器籠に合わせられるように、伸縮自在な構造。３は、食器籠内側の長さによりカット出来るもの。４は、吸水性布で、取替えが出来るもの。５は、食器籠。
【０００７】
水抜きホースの３を食器籠の内側に、１を流し台の方に取り付け、３から出ている吸水性布は、食器籠底部の水溜り部分まで伸ばす。
【０００８】
【考案の効果】
本考案の水抜きホースは食器籠に取り付けるだけで、手を煩わすことなく自然の力、浸透圧により、食器籠に溜まった水を排出し、又、水が溜まったままで起こる腐食、カビ、異臭、などを防ぐことができる。
【図面の簡単な説明】
【図１】本考案の水抜きホース本体の図面である。
【図２】食器籠に水抜きホースを取り付けた図面である。
【符号の説明】
１　水抜きホース本体
２　伸縮自在な部分
３　食器籠内側部分
４　吸水性布
５　食器籠
【図１】
0003097950.tif 000003
【図２】
0003097950.tif 000004
(57)【要約】　　　（修正有）【課題】人形の胴芯に着装する衣裳着親王男雛の衣裳の肩形態に斬新性を齎す。【解決手段】木胴本体１と、腕体２と、衣裳３と、親王頭６とから成り、前記木胴本体の上面に開口した縦穴４にはイグサの束５が密に固着され、このイグサの束に対して、前記親王頭の首杆７を抜き挿し自在となし、前記腕体は針金等を用いた腕芯８を形成し、この腕芯の周りには、木綿（もくめん）９がテープ及び紙で巻装され、かつ、前記腕体には、前記木胴本体に着装される衣裳の両肩１２に丸みを付与するための綿１０が巻装されることを特徴とする衣裳着親王男雛。【選択図】　　　図３
0003097036.tif 000002
【実用新案登録請求の範囲】
【請求項１】
木胴本体と、腕体と、衣裳と、親王頭とから成り、前記木胴本体の上面に開口した縦穴にはイグサの束が密に固着され、このイグサの束に対して、前記親王頭の首杆を抜き挿し自在となし、前記腕体は針金等を用いた腕芯を形成し、この腕芯の周りには、木綿（もくめん）がテープ及び紙で巻装され、かつ、前記腕体には、前記木胴本体に着装される衣裳の両肩に丸みを付与す
るための綿が巻装されることを特徴とする衣裳着親王男雛。
【考案の詳細な説明】
【０００１】
【考案の属する技術分野】
本考案は、衣裳着親王男雛に関するものである。
【０００２】
【従来の技術】
図１は、従来の節句用衣裳着親王雛（男雛）を示す斜視図である。
【０００３】
【考案が解決しようとする課題】
ところで、上記従来の節句用衣裳着親王雛（男雛）では、人形芯体に着せ掛けられている人形衣裳の両肩が、ピンと張り出した形態をもって表現されているので、看者に見飽きた感を与えるばかりでなく、昨今のように、多様
化した人形購入者のニーズに対応できないという問題点がある。
【０００４】
本考案は、上述のような実状に鑑みてなされたもので、その目的とするところは、新規な肩形態を顕現する人形衣裳を着付けた衣裳着親王雛（男雛）
を提供するにある。
【０００５】
【課題を解決するための手段】
本考案では、上記目的を達成するために、次の技術的手段を講じた。
即ち、本考案は、木胴本体と、腕体と、衣裳と、親王頭とから成り、前記木胴本体の上面に開口した縦穴にはイグサの束が密に固着され、このイグサの束に対して、前記親王頭の首杆を抜き挿し自在となし、前記腕体は針金等を用いた腕芯によって形成され、この腕芯の周りには、木綿（もくめん）がテープ及び紙で巻装され、かつ、前記腕体には、前記木胴本体に着装される衣裳の両肩に丸味を付与するための綿が巻装されることを特徴とする衣裳着親
王男雛を特徴としている。
【０００６】
【考案の実施の形態】
以下、本考案に係る衣裳着親王男雛の実施形態を図２、図３に基づいて説
明する。
【０００７】
図面符号１は衣裳着親王男雛の木胴本体、２は腕体、３は衣裳を示し、前記木胴本体１は、桐又は樟木等の素材を用いて円柱状に形成され、上面に開口した縦穴４を設け、この縦穴４内にイグサの束５を密に固着し、このイグ
サの束５に対して親王頭６の首杆７が抜き挿し自在になっている。
【０００８】
前記親王頭６は、桐塑、石膏、プラスチック等の素材を用いて形成される
ものである。
【０００９】
前記腕体３は針金等を用いた腕芯８を形成し、この腕芯８の周りには、木
綿（もくめん）９がテープ及び紙で巻装される。
【００１０】
図面符号１０は前記腕体２に巻装され、かつ、前記木胴本体１に着装される衣裳着親王男雛１１の衣裳３の両肩１２に丸みを付与するための綿を示し
ている。
【００１１】
したがって、本考案の実施の形態にあっては、木胴本体１に取り付く腕体　　２に綿１０を巻装したから、前記木胴本体１に着装される衣裳着親王男雛１
１の衣裳３の両肩１２を丸みあるものに保形し顕現させることができる。
つまり、衣裳着親王男雛１１の衣裳３における両肩１２の線が丸みを形成し
た緩やかな両肩形態１３に形成することができる。
【００１２】
【考案の効果】
以上に述べたように、本考案の衣裳着親王男雛は木胴本体に着装される人形衣裳の両肩の線が緩らかな九み形態をもって顕現するため、看者に新趣向感覚を印象付け、美感上、甚だ好ましい衣裳着親王男雛を提供することができる。しかも、本考案にあっては、従来の人形衣裳の両肩が『いかり肩』であったのを『なで肩』に改良することができるから、同種人形との差別化を
図ることが可能になる。
【図面の簡単な説明】
【図１】従来例の斜視図である。
【図２】本考案の実施形態を示す斜視図である。
【図３】本考案の実施形態を示す説明図である。
【符号の説明】
１　木胴本体
２　腕体
３　衣裳
４　縦穴
５　イグサの束
６　親王頭
７　首杆
８　腕芯
９　木綿（もくめん）
１０　綿
１１　親王男雛
１２　両肩
１３　両肩形態
【図１】
0003097036.tif 000003
【図２】
0003097036.tif 000004
【図３】
0003097036.tif 000005
(57)【要約】【課題】鉄道模型車両の貫通扉部分を塗装及び着色等の手間を省いて実車通りのリアル感を再現する。【解決手段】あらかじめ貫通扉の形状を有し実際の色調に類似させた板１をつくり模型の貫通扉部分３に簡単な接着作業で貼り付けられるようにした。【選択図】　図２
0003097032.tif 000002
【実用新案登録請求の範囲】
【請求項１】
鉄道模型車両の妻面貫通扉部分の表面に接着保持剤等により貼り
付ける事ができる構造を有するドア形状の板
【考案の詳細な説明】
【０００１】
【考案の属する技術分野】鉄道模型車両のメーカー市販品は製造工程の都合上妻面と貫通扉部分が一体成型となっている為、塗装色が同一となり両者に差異のある実際の鉄道車両と比較してリアル感が不足していた。本考案は貫通扉を別の部品として構成し模型本体の貫通扉部分に貼り付ける
事により、リアル感を得ようとするものである。
【０００２】
【従来の技術】従来は貫通扉を別の部品にして模型本体の貫通扉部分に簡単に
貼り付けられる構造のものがなかった。
【０００３】
【考案が解決しようとする課題】リアル感の不足を解決するには妻面の貫通扉部分の塗装を実際の車両のように変更する必要があり、相応の手間と塗装技術を要し短時間で
美しく仕上げる事が困難であった。
【０００４】
【課題を解決する為の手段】あらかじめ貫通扉の形状を有し実際の色調に類似させた板１をつくり模型本体の貫通扉部分３に貼り
付けられるようにした。
【０００５】
【考案の効果】接着保持剤等により所定の位置に簡単に貼り付けられ模型本体の貫通扉部分のめんどうな塗装及び着色等の手間が不要になる。
【図面の簡単な説明】
【図１】ドア形状を有する考案品と被接着面を有する模型本体との関係を示し
た立体図
【図２】考案品の被接着面との使用状況を示した平面図
【符号の説明】
１、考案品のドア
２、模型車両本体
３、貫通扉部分
４、妻面
【図１】
0003097032.tif 000003
【手続補正書】
【提出日】平成15年6月3日(2003.6.3)
【手続補正１】
【補正対象書類名】図面
【補正対象項目名】全図
【補正方法】変更
【補正の内容】
【図１】
0003097032.tif 000004
【図２】
0003097032.tif 000005
(57)【要約】　　　（修正有）【課題】土木・建築工事中、高所や空間でも簡単に随所で水平位置出しができるようにする。【解決手段】レーザー光線発光器３とクリップ１に固定した回転つまみ２を糸４で継ぎ、回転つまみをまわして、水平回転するようにした。【選択図】　図１
0003097034.tif 000002
【実用新案登録請求の範囲】
【請求項１】
レーザー光線発光器を、水平状態に保つ糸で吊し、クリップに固定した回転つまみと継ぎ、この回転つまみをまわして、水平回転する装置。
【考案の詳細な説明】
【０００１】
〔考案が解決しようとする課題〕
建築工事や土木工事に必要な水平位置出しの作業は、従来、水盛管に水を入れ透明なホースを用いて移動しながら、時間をかけて水位が静止するのを待って確認していた。
また、レーザー光線装置によるものもあるが、水盛管と同様に、地面や床面に置いて使用可能であり、高所や空間での使用は不可能であった。
また、作業が進行する途中で水平位置の印が消えたり、かくれたりして容易に再確認することが困難であった。
【０００２】
〔課題を解決するための手段〕
物を挟むクリップ１に、回転つまみ２を設け、これに、レーザー光線発光器３が水平回転するように、中心を糸４で吊すように継ぐ、この回転つまみ２を指で静かにまわすことによって、電源スイッチ５を入れたレーザー光線発光器の水平回転の揺れや衝撃を糸４が吸収して、すみやかに静止してレーザー光線６が照射され、随所の所で水平確認ができる。
【０００３】
〔考案の効果〕
作業中に、随所で水平確認をする必要がある場合に、レーザー光線発光器の水平回転装置を施したクリップを突起物があれば、その突起物に、なければ、棒状の物を左右に渡すか、あるいは、脚立の一部に挟んで固定することで、高所や空間でも簡単に随所での水平確認をすることができる。
【図面の簡単な説明】
【図１】レーザー光線発光器の水平回転装置の斜視図である。
【符号の説明】
１　クリップ
２　回転つまみ
３　レーザー光線発光器
４　糸
５　電源スイッチ
６　レーザー光線
７　突起物
【図１】
0003097034.tif 000003
(57)【要約】　　　（修正有）【課題】新規な裾を備えた衣裳着雛人形の男雛を提供する。【解決手段】束帯姿に模して座姿態に仕上げられる衣裳着雛人形の男雛１であって、この衣裳着雛人形の人形本体２の底面位置より、人形本体の後側に向け帯状を呈する裾４を延設し、この裾の両縁の内部には屈曲自在な薄状金属板片６が接着固定着され、この薄状金属板片６の波形折曲作用により、前記裾に波状部７を形成したことを特徴とする。【選択図】　　　図１
0003097037.tif 000002
【実用新案登録請求の範囲】
【請求項１】
束帯姿に模して座姿態に仕上げられる衣裳着雛人形の親王男雛であって、この衣裳着雛人形の人形本体の底面位置より、衣裳着雛人形の後側に向けて帯状を呈する人形本体の裾を延設し、この裾の両縁内部には屈曲自在な薄状金属板片が接着固定され、この薄状金属板片の波形折曲作用により、前記裾
に波形部を形成したことを特徴とする衣裳着雛人形の男雛。
【考案の詳細な説明】
【０００１】
【考案の属する技術分野】
本考案は、衣裳着雛人形に関するものである。
【０００２】
【従来の技術】
従来、衣裳着雛人形（親王雛）の内、男雛は、平安時代の貴族の束帯姿を
模して仕立てられている。
【０００３】
【考案が解決しようとする課題】
ところで、上記従来技術の男雛はその外観が定着していて新鮮さに欠け、消費者に見飽き感を与える嫌いがあり、そのため、新しい趣向感覚を印象付
けることが可能な衣裳着雛人形（男雛）の開発が要求される。
【０００４】
本考案は、上述のような実状に鑑みてなされたもので、その目的とするところは、立体的美観が従来のものに比し著しく向上し、しかも豪華さを強調でき、興趣に富んだものとなし得、これにより商品価値が高められる衣裳着
雛人形の男雛を提供するにある。
【０００５】
【課題を解決するための手段】
本考案では、上記目的を達成するために、次の技術手段を講じた。
即ち、本考案は、束帯姿に模して座姿態に仕上げられる衣裳着雛人形の男雛であって、この衣裳着雛人形の人形本体の底面位置より、人形本体の後側に向け帯状を呈する裾を延設し、この裾の両縁の内部は屈曲自在な薄状金属板片が接着固定され、この薄状金属板片の波形折曲作用により、前記裾に波状
部を形成したことを特徴とする。
【０００６】
【考案の実施の形態】
以下、本考案の実施の形態を図１に基づき説明する。
【０００７】
図面符号１は人形本体、２は束帯姿３を模して座姿態に仕上げられる衣裳着雛人形の男雛（親王雛）を示し、この男雛１の底面位置より男雛１の後側
に向けて帯状を呈する裾４を延設する。
【０００８】
前記帯状を呈する裾４の両縁５の内部には、屈曲自在な薄状金属板片６が
接着固定される。なお、薄状金属板片として例えば銅板が用いられる。
【０００９】
そして、前記薄状金属板片６を波形に折曲することにより、前記裾４に波状部７を形成できるようになっている。なお、上記の裾４は袋縫い又は、表
裏布地などの貼り合わせによって形成される。
【００１０】
【考案の効果】
本考案は、上述のように、束帯姿を模して座姿態に仕上げられる衣裳着雛人形の男雛（親王雛）であって、この人形本体の底面位置より人形本体の後側に向けて帯状を呈する裾を延設すると共に、この帯状を呈する裾の両縁の内部は屈曲自在な薄状金属板片が接着固定され、この薄状金属板片を波形に折曲することで前記裾に波状部を形成することを特徴とするものであるから、束帯姿の衣裳着雛人形（親王男雛）の立体的美観が一段と向上し、人形本体に豪華さと見映えを強調でき、また、帯状の裾自体、人形本体を加飾し、　　更に、薄状金属板片それ自体、裾に保形効果を齎し新趣向性に富んだものとなし得、これにより商品価値の高められる衣裳着雛人形の男雛（親王雛）を得ることができる。また、とかく自立たない人形本体の後側の体裁、美観を
向上させることができる。
【図面の簡単な説明】
【図１】本考案の実施形態を示す斜視図である。
【符号の説明】
１　衣裳着雛人形の男雛
２　人形本体
３　束帯姿
４　裾
５　裾の両縁
６　薄状金属板片
７　波状部
【図１】
0003097037.tif 000003
(57)【要約】　　　（修正有）【目的】マウント面と結像面との距離（バックフォカス）を固定したままで倍率調整（ズーミング）が出来、夜間赤外線カメラとして使用出来る。【構成】４枚の対物レンズ群２と、５枚の結像レンズ群５が１個の鏡筒内をそれぞれ結像面を基点として、結像レンズ群・結像レンズ群と対物しンズ間の距離を可変することでマウント面と結像面の距離を変えずに倍率変更が出来る様にし、対物レンズ群と結像レンズ群の中間に絞り機構７を組込み、レンズ群はコーテング等に拠り、可視光帯の外に近赤外帯域に透過特性を持たせた。【選択図】　図１
0003097098.tif 000002
【実用新案登録請求の範囲】
【請求項１】
４枚の対物レンズ郡と５枚の結像レンズ群との間隔及び結像レンズ群と結像面との間隔を調整することで、レンズマウント面と結像面との距離（バックフォーカス）に影響を与えずに３倍の変倍率を持つ事が出来るようにした監視カメラ用レンズユニット。
【請求項２】
請求項１のレンズユニットの構成レンズの透過波長特性をコーティング等によって、通常可視光帯の外に近赤外ＬＥＤの８５０ｍｍ帯に帯域特性を持たせ、夜間も其の侭、赤外監視カメラとして使用出来るようにした監視カメラ用レンズユニット。
【考案の詳細な説明】
【０００１】
【考案の属する技術分野】
本考案は監視カメラ用レンズユニットに係るものである。
【０００２】
【従来の技術】
従来監視カメラ用レンズユニットにはマウント面と結像面との距離を変えずに、倍率２倍以上の可変倍率のレンズユニットは製造されて居なかった。又レンズの透過波長特性を可視光帯域の外に近赤外の８５０ｍｍ帯域を付加した赤外兼用のレンズユニットも同様に製作されていなかった。
【０００３】
【考案が解決しようとする課題】
監視カメラに於いて、レンズマウント面と結像面との距離が一定したまま３倍程度のｆ＝４ｍｍ〜１２ｍｍの１／３”サイズＣＣＤカメラに使用する変倍の出来るレンズユニットと、１台のカメラで昼間は可視光の監視カメラとして、夜間は赤外監視カメラとして使用出来る様な可視、近赤両用レンズユニットを提供する。
【０００４】
【課題を解決するための手段】
監視カメラに使用するレンズユニットの結像レンズ群と対物レンズ群のそれぞれの取付け位置を可変として、結像面から結像レンズ群及び結像レンズ群から対物レンズ郡との距離をレンズユニット内で調整することで、レンズユニットのマウント面と結像面の距離を変えずに可変倍率が得られるようにする。又構成レンズの透過特性をコーティング加工等によって可視光帯域の外に近赤外の８５０ｍｍ帯域を付加して赤外線カメラに共用出来る様にする。
【０００５】
【考案の実施の形態】
本考案の実施形態は監視カメラの交換レンズユニットとしての形態都なる。
【０００６】
【実施例１】
図１は本考案実施例の構造説明図で、交換レンズ外筒（１）の全面内側に４枚の対物レンズ群（２）を前後にスライド出来るように設置し位置調整後、止めねじ（３）で固定する。外筒後部は外面にマウント面（４）が設けられ内側に前後にスライドする５枚の結像レンズ郡（５）が設けられ調整後止めねじ（６）で外筒（１）に固定される様にし、対物レンズ郡（２）と結像レンズ郡（５）の中間に絞り機構（７）が設けられている。又４枚の対物レンズ群（２）５枚の結像レンズ群（５）はコーテング加工等によって透過光特性が、可視光帯域の外に近赤外８５０ｍｍ帯域が付加されている。
【０００７】
【考案の効果】
本考案のレンズユニットの使用によりカメラの結像面を移動すること無く３倍迄の可変倍率を持つレンズユニットが出来る。
【０００８】
本考案のレンズユニットの使用により夜間も其の侭で赤外監視カメラとして使用出来る。
【０００９】
本考案のレンズユニットの可変倍率機構にヘリコイド機構に拠るリモートコントロール装置を装着することで監視カメラの大幅な性能の向上が出来る。
【図面の簡単な説明】
【図１】本考案実施例の構造説明図である。
【図２】本考案実施例の可変倍率の（ＮＡ０．３０２１）説明図
【図３】本考案実施例の可変倍率の（ＮＡ０．２５８２）説明図
【図４】本考案実施例の可変倍率の（ＮＡ０．２２５８）説明図
【図５】本考案実施例の可変倍率の（ＮＡ０．１８５）説明図
【図６】本考案実施例の可変倍率の（ＮＡ０．１５９１）説明図
【図７】本考案実施例の透過光特性図である。
【符号の説明】
１……ユニット外筒
２……対物レンズ群
３……止めねじ
４……レンズマウント
５……結像レンズ郡
６……止めねじ
７……絞り機構
８……結像面
【図１】
0003097098.tif 000003
【図２】
0003097098.tif 000004
【図３】
0003097098.tif 000005
【図４】
0003097098.tif 000006
【図５】
0003097098.tif 000007
【図６】
0003097098.tif 000008
【図７】
0003097098.tif 000009
(57)【要約】【課題】宿泊施設内の浴場の混雑状況を、利用客に知らせるシステムを提供する。【解決手段】入場者人数を計測する機器とテレビ用情報画面送出器とを無線で結び、施設内のテレビ共聴システムを通して施設内に有るテレビ画面に浴場の混雑状況を写し出す装置を作制する。【選択図】　図１
0003097100.tif 000002
【実用新案登録請求の範囲】
【請求項１】
入場者人数を計測する機器と、キャラクタージェネレーターとＲＦコンバーターと混合器とマイコンで構成されたテレビ用情報画面送出器とを無線で組み合わせた浴室利用状況表示システム。
【考案の詳細な説明】
【０００１】
【考案の属する技術分野】
この考案は宿泊施設の入浴者数を計測し、その情報を客室を含む施設内のテレビ画面に写し出す浴室利用状況表示システムに関するものである。
【０００２】
【従来の技術】
宿泊施設等において宿泊客が浴場を利用する場合、事前に混雑状況を知る事が出来なかったため、人によっては入口まで行って見ては引き返すという事があった。これを解決する手段として従来の入場者人数計測装置が考えられるがこれは表示装置が固定的なため表現方法の変更が容易にできず、更に全客室に情報を提供するには客室分の表示装置が必要なためコスト的にも不利である。
【０００３】
【考案が解決しようとする課題】
この考案は宿泊施設の利用者が浴場を利用する場合、事前にその混雑状況が分かる装置を開発しようとするものである。
【０００４】
【課題を解決するための手段】
入場者人数を計測する機器と、キャラクタージェネレーターとＲＦコンバーターと混合器とマイコンで構成されたテレビ用情報画面送出器とを無線で結ぶ事により、計測した入浴者数の情報を宿泊施設のテレビ共聴システム内の全テレビに写し出す事が出来、情報画面の変更も容易に行える。
本考案は、以上のような構成よりなる浴室利用状況表示システムである。
【０００５】
【考案の実施の形態】
以下、本案の実施の形態について説明する。
【０００６】
テレビ用情報画面送出器は、図１の様にデーターを受信する受信機、受信データーを元に情報画面を制御するマイコン、情報画面を送出するキャラクタージェネレーター、情報画面をテレビの周波数に変調するＲＦコンバーター、その周波数を共聴システムに割り込ませる混合器で構成されていて、キャラクタージェネレーターにはあらかじめパソコン等で情報画面を作制しておく。
【０００７】
図２のテレビ用情報画面送出器は、混合器（４）を施設のテレビ共聴システムの同軸ケーブル（５）、（６）に接続し、チャンネルツマミ（３）をテレビの空きチャンネル周波数に合わせる。
【０００８】
図３は入場者人数を計測する機器に、データー送信機能を取り付けたものでセンサー等は浴室の入退場者数を正確に計測出来る位置に設置する。なお、この機器については入場者人数を計測出来る物であればどの様な物でも良い。
【０００９】
【考案の効果】
本案は以上のような構成であるから、旅館、ホテル等の宿泊施設内において大浴場等の浴室の利用状況を知りたい時には、客室を含む施設内にある全てのテレビのチャンネルを選択すれば、いつでもその情報を知る事が出来て、各人入浴のタイミングを計る事が出来る。
【図面の簡単な説明】
【図１】テレビ用情報画面送出器のブロック図である。
【図２】テレビ用情報画面送出器の斜視図である。
【図３】データー送信機能を付けた入場者人数計測器の斜視図である。
【符号の説明】
１　送出器本体　　　　　　　２　データー受信アンテナ
３　チャンネルツマミ　　　　４　混合器
５　アンテナ側同軸ケーブル　６　テレビ側同軸ケーブル
７　計測器本体　　　　　　　８　データー送信アンテナ
９　電源ケーブル　　　　　　１０センサーケーブル
【図１】
0003097100.tif 000003
【図２】
0003097100.tif 000004
【図３】
0003097100.tif 000005